(57)【要約】  揮発性物質噴霧装置は、ファン、流体排出口、複数の空気流入口、及び複数の空気排出口を含む。複数の空気排出口は、少なくとも流体排出口の周辺に配置される。流体リザーバは、吸液芯を含み、揮発性物質を含む。流体リザーバは、ハウジング内に配置される。噴霧アセンブリは、吸液芯と流体連通し、ハウジング内に配置される。噴霧アセンブリは、流体排出口から揮発性物質を分散する。【選択図】図１
2021506360.tif 000002
【特許請求の範囲】
【請求項１】
ファン、流体排出口、複数の空気流入口、及び複数の空気排出口を備えたハウジングであって、前記複数の空気排出口は、少なくとも部分的に前記流体排出口の周辺に配置される、前記ハウジングと、
揮発性物質を含む流体リザーバであって、前記流体リザーバは、前記ハウジング内に配置される、前記流体リザーバと、
前記ハウジング内に配置され、容器と流体連通し、前記揮発性物質を前記流体排出口から分散するように構成された噴霧アセンブリと、
を含む、揮発性物質噴霧装置。
【請求項２】
前記揮発性物質は、少なくとも約７０重量％の水を含む水性芳香剤組成物である、請求項１に記載の揮発性物質噴霧装置。
【請求項３】
前記水性芳香剤組成物は、第１有機溶媒、少なくとも１つの香料製剤、及び第２有機溶媒を含む、請求項２に記載の揮発性物質噴霧装置。
【請求項４】
前記第１有機溶媒は、前記水性芳香剤組成物の約５から約１７重量％であり、前記第２有機溶媒は、前記水性芳香剤組成物の約０から約２２重量％である、請求項３に記載の揮発性物質噴霧装置。
【請求項５】
前記少なくとも１つの香料製剤が前記水性芳香剤組成物の約５重量％又はそれ以下の、請求項４に記載の揮発性物質噴霧装置。
【請求項６】
前記第１有機溶媒、前記少なくとも１つの香料製剤、及び前記第２有機溶媒は、均一な液相を形成する、請求項５に記載の揮発性物質噴霧装置。
【請求項７】
前記ファンは、前記複数の空気排出口から毎分４立方フィート（ＣＦＭ）を超える空気流動を生成する、請求項１に記載の揮発性物質噴霧装置。
【請求項８】
前記噴霧アセンブリは、前記流体排出口から外に流体粒子のミストを生成し、
前記複数の空気排出口から空気が流出し、前記流体排出口から前記流体粒子のミストが流出し、それぞれが別々に前記ハウジングから出る、請求項７に記載の揮発性物質噴霧装置。
【請求項９】
前記流体リザーバ又は前記流体リザーバ内に含まれた前記揮発性物質を識別するための少なくとも１つのセンサをさらに含む、請求項１に記載の揮発性物質噴霧装置。
【請求項１０】
ファン、流体排出口、少なくとも１つの空気流入口、及び前記流体排出口の周辺に少なくとも部分的に配置された複数の空気排出口を備えたハウジングと、
前記ハウジング内に配置され、吸液芯を含み、水性芳香剤組成物を含有する揮発性物質を含む流体リザーバと、
前記吸液芯と流体連通し、前記ハウジング内に配置されて、前記流体排出口から揮発性物質を分散する噴霧アセンブリと、
を含み、
前記噴霧アセンブリは、揮発性水性芳香剤組成物を前記流体排出口から放出し、前記ファンは、前記揮発性水性芳香剤組成物を噴霧装置から上方かつ遠くに送るために、前記揮発性水性芳香剤組成物を少なくとも部分的に囲み、前記空気排出口からの空気流動を生成する、揮発性物質噴霧装置。
【請求項１１】
前記ファンによって生成された空気流動は、少なくとも４ＣＦＭである、請求項１０に記載の揮発性物質噴霧装置。
【請求項１２】
前記噴霧アセンブリは、前記流体排出口の外に流体粒子のミストを生成し、
前記空気流動及び前記ミストは、前記ハウジングの外側で混ざり合って、前記ハウジング上の少なくとも４フィートの高さに到達する、請求項１１に記載の揮発性物質噴霧装置。
【請求項１３】
前記流体リザーバ又はリザーバ内に含まれた前記揮発性物質を識別するための少なくとも１つのセンサをさらに含む、請求項１０に記載の揮発性物質噴霧装置。
【請求項１４】
前記水性芳香剤組成物が少なくとも約７０重量％の水を含む、請求項１０に記載の揮発性物質噴霧装置。
【請求項１５】
前記水性芳香剤組成物は、第１有機溶媒、少なくとも１つの香料製剤、及び第２有機溶媒をさらに含む、請求項１１に記載の揮発性物質噴霧装置。
【請求項１６】
下部及び上部カバーを備えたハウジングであって、流体排出口が前記上部カバーに形成され、複数の空気排出口が少なくとも部分的に前記流体排出口の周辺に形成される、前記ハウジングと、
前記ハウジング内に配置され、吸液芯を含み、水性芳香剤組成物を含有する揮発性物質を含む流体リザーバと、
前記ハウジング内に配置され、少なくとも１つの空気流入口を介して前記ハウジング内に空気を引き込み、前記複数の空気排出口の外に少なくとも４ＣＦＭの空気流動を作り出すファンと、
ハウジング内に配置され、前記流体リザーバの前記吸液芯と流体連通する噴霧アセンブリであって、前記噴霧アセンブリは、前記流体排出口の外に分散される流体粒子のミストを作り出すように構成され、前記複数の空気排出口の外への空気流動、及び前記流体排出口の外に分散されるミストは、前記上部カバーの上の前記ハウジングの外側で混合する、噴霧アセンブリと、
を含む、揮発性物質噴霧装置。
【請求項１７】
前記水性芳香剤組成物は、少なくとも７０重量％の水、第１有機溶媒、少なくとも１つの香料製剤、及び第２有機溶媒を含む、請求項１６に記載の揮発性物質噴霧装置。
【請求項１８】
前記水性芳香剤組成物は、均一な液相を形成する、請求項１７に記載の揮発性物質噴霧装置。
【請求項１９】
前記複数の空気排出口からの空気流動と流体粒子のミストとの混合物は、前記ハウジングの前記上部カバーの上の少なくとも４フィートに到達し、前記ハウジングの前記上部カバー及び前記下部は、噴霧アセンブリから分離した前記ハウジング内の空気チャネルと前記ハウジング内で生成された流体のミストとを作り出し、前記空気チャネルは、前記ファンから前記複数の空気排出口まで延びる、請求項１６に記載の揮発性物質噴霧装置。
【請求項２０】
前記流体リザーバ又は前記流体リザーバに含まれる揮発性物質を識別するための少なくとも１つのセンサをさらに含む、請求項１６に記載の揮発性物質噴霧装置。
【発明の詳細な説明】
【技術分野】
【０００１】
本開示は、一般に能動放出装置に関し、より具体的には、改善された空気流動技術を用いた長期間持続する効果のための揮発性物質の放出のための圧電能動放出装置に関する。
【背景技術】
【０００２】
多数の活性物質放出装置が市場に存在している。そのような装置の多くは、内部に液体活性物質を分散させるために、周囲の大気流動のみを必要とする受動装置である。他の装置は、電池式、又はプラグを介して家庭用電源が供給される。プラグと装置との間にコードが接続されてもよく、プラグが装置に直接取り付けられてもよい。
【０００３】
活性物質を放出装置から分散するための様々な手段が当技術分野で知られている。例えば、いくつかの放出装置は、活性物質の気化を促進するために活性物質を加熱するための加熱要素を含む。他の放出装置は、放出装置から活性物質を周囲の環境に導くための空気流動を作り出すためにファンを使用する。他のタイプの放出装置では、活性物質は、空気のパルスを発生させて香りリング（ｓｃｅｎｔ  ｒｉｎｇ）を排出するボーラスジェネレータ（ｂｏｌｕｓ  ｇｅｎｅｒａｔｏｒ）を使用して装置から放出されてもよい。また他の放出装置は、超音波トランスデューサを使用して、装置から排出される液滴（ｄｒｏｐｌｅｔ）に活性物質を分解する。
【０００４】
振動型液体噴霧装置は、マーティン（Ｍａｒｔｉｎ）らの米国特許第６，３４１，７３２号、ヘルフ（Ｈｅｌｆ）らの米国特許第６，７０６，９８８号、ヘルフ（Ｈｅｌｆ）らの米国特許第６，８９６，１９３号、シピンスキ（Ｓｉｐｉｎｓｋｉ）らの米国特許第７，４５５，２４５、及びイル（Ｉｌｌ）らの米国特許第７，７７５，４５９号に開示されており、これら特許は、全て本出願の出願人に譲渡された。これらの特許は、液体噴霧プレートに結合された圧電作動要素を含む装置を開示する。圧電作動要素は、作動要素に印加される交流電圧に応答して液体噴霧プレートを振動させる。プレートの振動は、液体伝達システムによって供給される液体の噴霧を引き起こす。電気回路は、作動要素の反対側と電気的に接触している導電性要素に交流電圧を供給するために提供される。導電性要素はまた、装置を備えたハウジング内の作動要素及び液体噴霧プレートを支持するように機能し得る。
【０００５】
しかし、噴霧装置を使用することの潜在的な問題は、噴霧された液滴が装置上に再び定着し得る点、及び／又は液滴が完全に蒸発する前に装置の周辺の表面に定着し得る点である。このような問題は、例えば昆虫防除剤又は空気清浄液体製剤に関して特に懸念される可能性があり、そのような製剤は、表面、特に繊細なラッカー仕上げをされた木材の表面に有害な強い溶剤を含むことが多いためである。消費者は、多くの場合、液体噴霧装置をそのような表面（例えば、テーブルやドレッサーなどの木製家具）に置き、噴霧された液滴が蒸発する代わりに隣接した表面に定着すると、液滴は他の望ましくない影響の中でもとりわけ、表面の仕上げ部を損傷する。
【０００６】
このような問題を解決するために、分散された液体の特性を変化させることが提案されている。例えば、分散された液体の特定の配合は、液体が表面処理された木製の表面と接触した場合に家具の剥離剤として作用しないように変更され得る。しかしながら、このような手法は、使用可能な液体成分の選択、特に使用可能な芳香成分の選択を制限する可能性がある。
【０００７】
しかし、装置内の液体製剤の特定の成分が特定の表面に必ずしも損傷を与えない場合においても、表面上の液滴の蓄積は依然として厄介であり得る。例えば、液体製剤と反応しないプラスチック表面又はガラスの表面は、その表面に液滴が集まった後に、装置のユーザによって依然として洗浄されなければならない。別の例として、特定の液体製剤は、実際にはカーペット繊維又は布地の表面領域に害を与えないかもしれないが、カーペット又は布地に吸収されるために依然として面倒になり得る。
【０００８】
また、液滴が液体噴霧装置自体に定着する可能性があることも懸念され、そのような噴霧液滴が空気中に放出されるときに通過するオリフィスを目詰まりさせることによって、追加的な噴霧及び効率的な分散の妨害及び／又は悪影響を及ぼす。
【０００９】
従って、液体噴霧装置では、装置及び／又は周辺の表面に沈降する前に完全に蒸発されない噴霧液滴の量を最小化する必要がある。従来技術は、以下に説明する方式で分散された液滴の蒸発速度を増加させることによって、装置及び／又はその周辺の表面に定着する噴霧された液滴の量を最小化するための適切な改善を適切に教示できなかった。
【発明の概要】
【課題を解決するための手段】
【００１０】
例示的な一実施形態によれば、揮発性物質噴霧装置は、ファン、流体排出口、複数の空気流入口、及び複数の空気排出口を有するハウジングを含む。複数の空気排出口は、少なくとも部分的に流体排出口の周辺に配置される。揮発性物質を含む流体リザーバがハウジング内に配置される。噴霧アセンブリは、ハウジング内に配置されて、容器と流体連通する。噴霧アセンブリは、揮発性物質を流体排出口から分散するように構成される。
【００１１】
他の例示的な実施形態によれば、揮発性物質噴霧装置は、ファン、流体排出口、少なくとも１つの空気流入口、及び流体排出口の周辺に少なくとも部分的に配置された複数の空気排出口を含む。流体リザーバは、ハウジング内に配置される。流体リザーバは、吸液芯を含み、水性芳香剤組成物を含有する揮発性物質を含む。噴霧アセンブリは、吸液芯と流体連通し、ハウジング内に配置されている。噴霧アセンブリは、揮発性物質を流体排出口から分散するように構成される。噴霧アセンブリは、揮発性水性芳香剤組成物を流体排出口から放出し、ファンは、揮発性水性芳香剤組成物を噴霧装置から上方かつ遠くに送るために、揮発性水性芳香剤組成物を少なくとも部分的に囲み、空気排出口からの空気流動を生成する。
【００１２】
他の例示的な実施形態によれば、揮発性物質噴霧装置は、下部及び上部カバーを有するハウジングを含む。流体排出口は、上部カバーに形成され、複数の空気排出口が流体排出口の周辺に形成される。流体リザーバは、ハウジング内に配置される。流体リザーバは、吸液芯を含み、水性芳香剤組成物を含有する揮発性物質を含む。ファンは、ハウジング内に配置され、少なくとも１つの空気流入口を介して空気をハウジング内に引き込み、複数の空気排出口の外に少なくとも４ＣＦＭの空気流動を作るように構成される。噴霧アセンブリは、ハウジング内に配置され、流体リザーバの吸液芯と流体連通する。噴霧アセンブリは、流体排出口の外に分散される流体粒子のミストを作り出す。複数の空気排出口の外への空気流動及び流体排出口の外に分散されるミストは、上部カバーの上のハウジングの外側で混合される。
【図面の簡単な説明】
【００１３】
【図１】本開示の原理を実現し得る例示的な圧電能動放出装置の第１の実施形態の上面、正面及び右側面斜視図である。
【図２】図１の装置で使用するための流体リザーバの上面及び正面斜視図である。
【図３】図１の線３−３に概ね沿った図１の装置の断面図である。
【図４】図１の装置の上面、背面及び左側面斜視図である。
【図５】上部ハウジングが取り外された図１の装置の上面、背面及び左側面斜視図である。
【図６】図５の領域５の詳細図である。
【図７】図１の装置で使用される噴霧アセンブリの分解斜視図である。
【図８】図１の装置の外部空気流動及び能動放出の特徴を示す図１の上面、背面及び左側面斜視図である。
【図９】本開示の原理を実現し得る例示的な圧電能動放出装置の第２の実施形態の上面、正面及び右側面斜視図である。
【図１０】図９の装置の上面、背面及び左側面斜視図である。
【図１１】図１０の線１１−１１に概ね沿った図９の装置の断面図である。
【図１２】上部ハウジング部が取り外された図９の装置の上面、正面及び右側面斜視図である。
【図１３】図９の装置の下部及び中間ハウジングの上面、正面及び右側面斜視図である。
【図１４】図９の装置の下面斜視図である。
【図１５】本開示の例示的な圧電能動放出装置のいずれかと共に使用され得る例示的な制御アルゴリズムを示す図である。
【図１６】本開示の原理を実現し得る例示的な圧電能動放出装置の第３の実施形態の上面及び正面斜視図である。
【図１７】図１６の線１７−１７に概ね沿った図１６の装置の断面図である。
【図１８】本開示の原理を実現し得る例示的な圧電能動放出装置の第４の実施形態の上面、正面及び右側面斜視図である。
【図１９】本開示の原理を実現し得る例示的な圧電能動放出装置の第５の実施形態の上面及び正面斜視図である。
【図２０】図１９の正面図である。
【図２１】本開示の原理を実現し得る例示的な圧電能動放出装置の第６の実施形態の断面図である。
【図２２】本開示の原理を実現し得る例示的な圧電能動放出装置の第７の実施形態の断面図である。
【発明を実施するための形態】
【００１４】
本開示の他の態様及び利点は、以下の詳細な説明を検討することで明らかになり、類似の構造は同一又は類似の参照符号を付する。
【００１５】
本開示は、改善された空気流動技術を用いて長期間持続する効果のための揮発性物質の放出のための圧電能動放出装置に関する。本開示は、多くの異なる形態で実現され得るが、いくつかの特定の実施形態は、本開示は本開示の原理の例示としてのみ考慮されるべきであり、本開示を示した実施形態に限定しようとする意図ではない。
【００１６】
図面を参照すると、図１〜図６は、流体リザーバ１０２を含む第１の例示的な噴霧装置１００を示す。噴霧装置１００は、ベース１０６及び上部カバー１０８を備えたハウジング１０４を含む。放出装置１００は、電気接続部１１０を含む。電気接続は、当業者に周知の任意の形態を取ることができると考えられる。例えば、いくつかの実施形態では、接続部は、標準的なコンセントに接続するように構成されたプラグ（図示せず）を含んでもよい。代替的に、他の実施形態では、電気接続は、電力を受け取るためにコンピュータ又は他のＵＳＢレセプタクルを備えた装置に接続するためのＵＳＢ接続を含んでもよい。いくつかの例示的な実施形態は、噴霧装置に電力を供給するために、及び／又はバックアップ電源を提供するために電池を含んでもよい。
【００１７】
図１及び図４を参照すると、噴霧装置１００は、噴霧装置１００の設定を調整するための制御スイッチ１１２を含む。単一のスイッチが示されているが、装置１００の任意の数の異なる特徴を調整する任意の数のスイッチが実装されてもよい。上部カバー１０８はまた、揮発性物質が噴霧装置１００を囲む環境に分散される流体排出口１１４を画定する。上部カバー１０８はまた、上部カバー１０８の下部１１８に配置される複数の空気流入口１１６を画定する。複数の空気排出口１２２は、上部１２４の上部カバー１０８によって画定される。複数の空気排出口１２２は、流体排出口１１４の周辺に配置され、複数の空気排出口１２２の位置決定の重要性は、後に説明する。
【００１８】
次に、図２を参照すると、流体リザーバ１０２は、ネック１０３を有する容器１２８を含む（図３を参照）。プラグと吸液芯ホルダ１３２の組合せがネック１３０に取り付けられ、プラグ及び吸液芯ホルダ１３２は、横方向に延びる一対の取り付けラグ１３４を含む。吸液芯１３６は、内部の流体と接触してリザーバ１０２内に配置される。吸液芯１３６の上端部１３８はネック１３０を越えて延び、吸液芯１３６の下端部１４０は流体リザーバ１０２内の底面１４２に向かって配置される。吸液芯１３６は、毛細管現象によってリザーバ１０２内から吸液芯１３６の上端部１３８に流体を移送する。装置１００のベース１０６は、対向するバヨネット（ｂａｙｏｎｅｔ）スロット１４６を含む受容開口部１４４を画定する（図６参照）。流体リザーバ１０２は、ラグ１３４を対向するバヨネットスロット１４６と位置合わせし、リザーバ１０２を上方に押すことによりベース１０６に挿入され、これにより、ラグ１３４をそれぞれのバヨネットスロット１４６に挿入し、それによってプラグ及び吸液芯ホルダ１３２が受容開口部１４４を通過することによってハウジング１０４内に配置される。その後、流体リザーバ１０２は、噴霧装置１００内に流体リザーバ１０２を固定するために、それぞれのバヨネットスロット１４６の戻り止め部を画定する壁１４８と係合するように、ラグ１３４を回転させる。流体リザーバ１０２を装置に取り付けるための特定の方法を記載したが、流体リザーバ１０２は、任意の適切な方法で装置に取り付けられてもよい。
【００１９】
また、正確な物質及び／又は流体リザーバが装置１００と共に使用されていることを保障するために、リザーバ１０２とベース１０６との相互作用によって異なる方法が採用され得ることもまた企図される。いくつかの実施形態では、リザーバ１０２及び／又はリザーバ１０２内の流体及び／又は芳香の組成を識別するためのセンサ１５０（図６を参照）が受容開口部１４４に隣接して配置されてもよい。センサ１５０は、リザーバ１０２を噴霧装置１００内に挿入することによってトリガーされ得る電気機械的手段を含んでもよい。電気機械的手段は、リザーバ１０２と相互に作用するように、ベース１０６上の任意の都合の良い位置に配置され得ることも企図される。例えば、ラグ１３４又はプラグ及び吸液芯ホルダ１３２は、受容開口部１４４の一部の上に配置されたスイッチをトリップ（ｔｒｉｐ）するように固有の形状にされてもよい。他の構成もまた考慮される。他の実施形態では、リザーバ１０２は、近距離通信装置（例えば、ＲＦＩＤタグ又はＮＦＣチップ）を含んでもよく、装置１００は、相互補完的な近距離通信装置（例えば、ＲＦＩＤタグリーダ又はＮＦＣチップリーダ）を含んでもよく、これはリザーバ１０２の近距離通信装置に格納された情報を読み取るように構成されている。他のタイプのセンサ１５０は、リザーバ１０２に印刷された情報（例えば、ＵＰＣ、ＥＡＮ、ＣＯＤＥ３９、ＣＯＤＥ１２８、ＩＴＥ、ＣＯＤＥ９３、ＣＯＤＥＢＡＲ、ＧＳ１、ＤＡＴＡＢＡＲ、及びＭＳＩ  ＰＬＥＡＳＳＥＹなどの１次元バーコード、又はＱＲ  ＣＯＤＥ、ＤＡＴＡＭＡＴＲＩＸ  ＣＯＤＥ、ＰＤＦ１４７及びＡＺＴＥＣなどの２次元バーコード）と相互作用する赤外線センサ及び／又は他の光学センサを含んでもよい。センサ１５０は、認可された物質及びリザーバ１０２の識別以外にも使用され得ることが企図され、以下にて説明する。例えば、センサ１５０を介して転送された情報に基づく制御機能が装置１００に含まれてもよい。本出願の出願人によって所有される米国特許第７，００９，５１９号のレナード（Ｌｅｏｎａｒｄ）らによって開示されたセンサ又は方法のいずれかは、本明細書に開示された装置又は方法と共に追加的に又は代替的に使用されてもよい。
【００２０】
図６に示すように、複数の取り付けポスト１５２は、ベース１０６から上方に延びて、受容開口部１４４の周辺に分布する。噴霧アセンブリ１５４は、取り付けポスト１５２の付近にループ状に形成され、そこから噴霧アセンブリ１５４まで延びる支持ワイヤ１５６によって受容開口部１４４の上のシャーシ（ｃｈａｓｓｉｓ）に取り付けられる。プリント回路基板１５８は、ベース１０６上に取り付けられる（図５参照）。このプリント回路基板１５８には、電気接続部１１０によって電力が供給されるように接続され、噴霧アセンブリ１５４のための通電電圧を生成するように構成された電気回路が設けられている。これらの電圧は、電線１６０を介して噴霧アセンブリ１５４内のリング形状の圧電アクチュエータ１６２（図７を参照）に伝達され、そこでアクチュエータの厚さ全体に交互に電場を加えて、アクチュエータを放射方向に膨張及び収縮させる。微細なオリフィスがその中央領域に形成されたオリフィスプレート１６４は、アクチュエータ１６２の中央孔に固定され、これを横切って延びる。圧電アクチュエータ１６２の放射状の膨張及び収縮により、オリフィスプレート１６６の中心領域を振動的に上下に押し出す。この振動運動の間、容器１２８からの液体は、毛細管要素又は吸液芯１３６によってオリフィスプレート１６４の下部まで伝達される。プレートの上下移動は、液体をそのオリフィスを介して駆動し、その結果、液体は小さな液滴に分離された後、ミストの形態で上部カバー１０８の流体排出口１１４から排出される。
【００２１】
オリフィスプレート１５４内のオリフィスのサイズは、基材に依存して、異なるタイプの芳香剤組成物又は他の揮発性成分に対して最適化され得ることが企図される。例えば、水系の組成物と油系の組成物とは、吸入要件を超過する粒子を生成するために異なる要件を持っている。さらに、オリフィスのサイズが大きくなるにつれて、オリフィスプレート１５４の製造コストが減少する。後述するように、別の空気流動を生成する装置は、より大きな液滴を生成するより大きなオリフィスを可能にする。これにより、従来技術の装置の性能と一致又はそれを超える一方で、経済性が改善された装置を製造することが可能になる。
【００２２】
噴霧アセンブリ１５４の構造は、図７の分解図に示される。このアセンブリは、リテーナ１７０、コイル圧縮ばね１７２、圧電アクチュエータ１６２、及びオリフィスプレート１６４を含む。リテーナ１７０は、プラスチックで作られてもよく、中空の円筒状の本体部１７４を備えてもよい。上部リム１７６は、本体部１７４の上端部で内向きに延び、一対の下部フランジ１７８は、下端部から下向きに延びている。フランジ１７８のそれぞれには、円周方向に延びる細長いスロット１８０が形成されている。噴霧アセンブリ１５４を組み立てる際、コイル圧縮ばね１７２は、リテーナ１７０の底部に挿入され、その上部リム１７６に押し付けられる。オリフィスプレート１６４がハンダ付けされた圧電アクチュエータ１６２は、アクチュエータ１６２がスロット１８０の上に配置されるまで、ばね１７２に対して押し上げられる。次に、支持ワイヤ１５６は、矢印Ａ、Ａの方向に内側へ圧迫され、その結果、その上の突出部１５６ａを下部フランジ１７８の間に挟むことができる。突出部１５６ａは、スロット１８０と位置合わせされ、ワイヤ１５６に対する圧迫力が解除されると、それらの通常の構成に戻ることができる。これにより、突出部１５６ａがスロット１８０内に挿入され、支持ワイヤ１５６の弾性特性によって突起が保持される。また、突出部１５６ａに隣接する支持ワイヤ１５６の部分は、リテーナ４０内に延びて、コイルばね１７２の力に対向して圧電アクチュエータ１６２及びオリフィスプレート１６４を支持する。
【００２３】
噴霧アセンブリ１５４が固定されたワイヤ１５６は、図２に示すように、それぞれ取り付けポスト１５２の上部円筒部１８４上に支持ワイヤをループさせることによって、噴霧器装置に取り付けられる。支持ワイヤ１５６は、取り付けポストの上部円筒部に形成された戻り止め１８６によって適所に保持される。噴霧アセンブリ１５４は、特定の構成及び特定の構成要素を有するものとして本明細書に開示されているが、任意の他の適切な構成及び／又は構成要素が使用されてもよい。
【００２４】
図３〜図５、図８を参照すると、噴霧装置は、複数の空気流入口１１６を介してハウジング１０４内に空気を引き込み、空気をファンアセンブリ排出口１９２から押し出すように構成されたファンアセンブリ１９０を含む（図３及び図５を参照）。ベース１０６及び上部カバー１０８は、ファンアセンブリ排出口１９２からハウジング１０４を介して、噴霧アセンブリ１５４の周辺に空気チャネル１９４を画定する（図５の矢印を参照）。上部カバー１０８は、ベース１０６と相互作用して噴霧アセンブリ１５４を隔離し、ハウジング１０４内の空気チャネル１９４への空気流動の全てを受容する壁（図示せず）を含む。空気チャネル１９４内の空気は、流体排出口１１４の周辺に配置される複数の空気排出口１２２から押し出される。このようにして、空気流動は、空気流動が空気排出口１２２を抜け出るときまで揮発性物質と相互作用しない。
【００２５】
図８を参照して、噴霧装置１００の空気流動特性及びいくつかの利点を説明する。流体排出口１１４から排出される流体のミストは、矢印Ｆで示されている。複数の空気排出口１２２からの空気流動は、矢印Ａで示されている。図８に示すように、排出口１２２から空気流動は、流体のミストＦの周辺に空気の部分的な柱を形成する。この構成は、噴霧装置１００上及びその周辺に降下（ｆａｌｌｏｕｔ）する問題を克服する１つの方法である。ファンアセンブリは、少なくとも毎分４立方フィート（４ＣＦＭ）から毎分８立方フィート（８ＣＦＭ）の間の速度で流入口１１６と排出口１２２との間で空気を移動させることができる。当業者は、必要な空気流動を行うことができるファン構成、遠心力、及びその他のものを理解するであろう。降下を防止するために、噴霧アセンブリ１００は、図１５に示される制御アルゴリズムに従って作動する。まず、ファンアセンブリ１９０が作動して、噴霧アセンブリ１５４は作動しない。いくつかの実施形態では、空気流動Ａは、少なくとも毎分４立方フィート以上である。このレベルの空気流動Ａは、噴霧装置１００の周囲の環境に気流を作り出す。ファンアセンブリ１９０の作動後の一定期間、噴霧アセンブリ１５４が作動して、流体のミストＦを作り出す。４ＣＦＭ以上の空気流動を有することにより、ミストＦ内の液滴が噴霧装置１００上又はその周辺に降下するのを最小化又は防止されるほど十分に噴霧装置１００から遠くに運搬される。ミストＦを含む噴霧装置１００の上方の空気柱（ａｉｒ  ｃｏｌｕｍｎ）は、４ＣＦＭ以上の空気流動がある場合、多くの構造で天井近くに到達することが試験で明らかになった。これにより、噴霧装置１００の近く又は上に液滴が着地する可能性が大幅に減少する。噴霧アセンブリ１５４は、短時間作動した後、ファンアセンブリ１９０が作動している間に停止し、最後のミストＦが発散されることを確実にする。
【００２６】
噴霧アセンブリ１５４の作動タイミングは、環境内の活性物質の量を調整するために、ユーザによって制御され得ることが企図される。制御スイッチ１１２は、噴霧アセンブリ１５４の作動時間の最大設定と最小設定との間を移動するスライドスイッチであってもよい。例示的な一実施形態では、それぞれの作動時間は２秒〜５秒である（例えば、スライドスイッチは、５秒で最大設定、３．５秒で中間設定、２秒で最小設定を有し得る）。他の実施形態では、噴霧アセンブリのそれぞれの作動時間は、２秒〜１０秒であり得る（例えば、スライドスイッチは、１０秒で最大設定、６秒で中間設定、２秒で最小設定を有し得る）。噴霧アセンブリ１５４の前及び後にファンアセンブリ１９０が作動する時間は、一定値であってもよく、又は噴霧アセンブリ１５４の作動時間に応じて変化してもよい。例示的な一実施形態では、ファンアセンブリ１９０が作動する時間は、噴霧アセンブリ１５４が作動する前の０秒から６０秒の間、又は１０秒から５０秒の間であってもよい。噴霧アセンブリ１５４が非作動状態になった後のファンアセンブリの作動時間は、いくつかの実施形態では同一であっても異なっていてもよいと考えられる。また、噴霧装置１００は、規則的な時間間隔で上述したような制御アルゴリズムを動作させる制御機能を有し得ると考えられる。噴霧装置１００の周辺の環境に分散される活性物質の量を制御するために時間間隔が変更されてもよい。
【００２７】
また、いくつかの実施形態では、制御スイッチ１１２は、上述したセンサを介して受信した情報に基づいて装置１００の異なる動作応答を提供するプログラム可能なコントローラを作動し得ることも企図される。まず、センサからの情報がない場合、装置１００が動作しない可能性がある。例えば、未知の成分を含む無認可のリザーバは、センサが充分に作動しないか、装置１００の作動を可能にする適切な情報を提供しない。また、センサを介して提供される情報は、特定の芳香剤組成物に関する作動情報を含んでもよい。例えば、装置１００の作動のタイミング及び／又は装置１００の他のパラメータが調整されてもよい。いくつかの動作パラメータは、芳香剤放出のオン／オフのサイクルタイミング、芳香剤組成物の放出速度の増加又は減少、作動時刻及び／又は年間の季節を含んでもよい。また、いくつかの実施形態では、プログラマブルコントローラは、芳香剤組成物及び／又はユーザ入力に基づいて、プログラマブルコントローラによって選択される複数の事前にプログラムされたアルゴリズムを含んでもよい。
【００２８】
いくつかの実施形態では、装置１００は、モノのインターネット（ＩｏＴ）タイプの技術を用いて、装置１００がローカル又は遠隔接続を介してユーザと相互作用できるようにするスマート装置であり得ることも企図される。例えば、装置は、ユーザのスマートフォン又は他の装置上のアプリケーションと相互作用するために、ＷＩＦＩ又はブルートゥース (登録商標)などの無線技術を含む様々な手段によって通信してもよい。さらに、装置１００は、Ａｐｐｌｅ (登録商標)Ｈｏｍｅｋｉｔ（商標）、Ａｍａｚｏｎ（登録商標）Ａｌｅｘａ（商標）、又はＧｏｏｇｌｅ（登録商標）Ｈｏｍｅシステムを介して相互作用するための技術及び／又はプログラミングを含み得る。例えば、ユーザの電話又は他の装置は、上述のシステムに関連する様々な無線位置確認技術によって認識されてもよく、ユーザが家に帰ると、装置は予め選択された条件に基づいて芳香剤組成物を分散する作動サイクルを開始したり、ユーザが施設を離れたことを検出すると、非作動状態にされたりしてもよい。さらに、いくつかの実施形態では、ユーザは、ユーザのスマートフォン又は他の装置上のアプリケーションを介して遠隔で装置と相互作用することができ、ユーザは、上述のシステム又は他の通信タイプ及び／又は遠隔の通信と作動に利用可能なシステムを介して装置１００を制御することができる。
【００２９】
ここで、図９〜図１４を参照すると、噴霧装置２００の第２の例示的な実施形態が示されている。噴霧装置１００と共有される特性及び要素の噴霧装置２００は、同一の符号の数字に１００を加えた符号で表示される。噴霧装置２００は、ベース２０６及び上部カバー２０８を備えるハウジング２０４を含む。電気接続部２１０は、図１４では、レセプタクルとして示されている。多くのタイプのケーブルが噴霧装置２００に接続されて、様々な供給源からの電力の提供ができると考えられる。上部カバーは、流体排出口２１４を含む。流体排出口２１４は、複数の空気排出口２２２によって囲まれている。空気は、ベース１０６（図１４参照）によって画定された単一空気流入口２１６を介して噴霧装置２００に入る。
【００３０】
図１２を参照すると、流体リザーバ２０２は、流体リザーバ１０２と同一である。流体リザーバは、受容開口部２４４及び対向するバヨネットスロット２４６が取り付けハウジング２５０に形成されることを除いて、第１の実施形態と同様の方式でハウジングに接続され、これは、流体排出口２１４を囲み、複数の空気排出口２２２から流体排出口２１４を分離する上部カバー２０８の中央部分２２０の下側に結合される。噴霧装置２００は、噴霧アセンブリ１５４と同一であり、同じ方式で取り付けハウジング２５０上の流体リザーバ２０２上の位置に保持される噴霧アセンブリ２５４を含む。取り付けハウジング２５０は、噴霧アセンブリ２５４を支持及び保持するために、ベース１０６と同じ構造要素を含む。ファンアセンブリ２９０は、空気流入口２１６の上及び中間ハウジング２２６の下に位置する。中間ハウジング２２６は、流体リザーバ２０２を支持する上部２２６ａと、プリント回路基板２５８が位置する容積を画定する下部２２６ｂとを含む（制御スイッチ２１２との接続を示すために透明構造として示される）。制御スイッチ２１２は、ハウジング２０４を介して延び、ユーザに噴霧装置１００と同様の方式で噴霧装置２００を制御させる。
【００３１】
図１０及び図１１を参照すると、噴霧装置２００の空気流動特徴は、噴霧装置１００と同様である。空気チャネル２９４は、図１１に矢印で示されている。空気は、ベース２０６の流入口２１６を介して吸い込まれる。ファンアセンブリ２９０は、複数の排出口２２２から出るまで、流体リザーバ２０２の周辺に及び上部カバー２０８の内側に空気を押し出す。排出口２２２から出る空気流動Ａは、噴霧アセンブリ２５４を出るミストＦの周辺に同一の外部空気柱を形成する。噴霧装置２００は、噴霧装置１００と同じ方法及びアルゴリズムで作動し得ると考えられる。
【００３２】
ここで、図１６〜図２２を参照すると、類似の流体ミスト分散結果を達成し、開示された装置上及びその周辺に揮発性物質の降下を防止するために、変更された構造及び空気流動を利用する代替的な実施形態が考慮される。具体的には、図１６及び図１７のように、噴霧装置３００は、複数の空気流入口３０４を画定するベース３０２を含む。上部カバー３０６は、主空気及び流体排出口３０８を画定し、円筒状の中間セクション３１０によってベース３０２に結合される。ファンアセンブリ３１２は、ベース３０２内に配置され、複数の空気流入口３０４を介して空気を引き込むように構成される。中間セクション３１０及び上部カバー３０６は、噴霧装置３００の内部容積３１４を画定する。流体リザーバ３１６は、吸液芯３１８を含み、吸液芯３１８の端部は、噴霧アセンブリ３２０と流体連通する。内部ノズルアセンブリ３２２は、内部流体排出口３２４を画定する。流体リザーバ３１６、内部ノズルアセンブリ３２２、及び噴霧アセンブリ３２０は、全て噴霧装置３００の内部容積３１４内に配置される。内部ノズルアセンブリ３２２は、流体リザーバ３１６の上端部に配置される。噴霧アセンブリ３２０は、内部流体排出口３２４のわずかに下の内部ノズルアセンブリ３２２内に配置される。ハニカム配列３２６（ｈｏｎｅｙｃｏｍｂ  ａｒｒａｙ）は、内部容積３１４内の内部ノズルアセンブリ３２２の下部の外部の周辺に配置され得る。
【００３３】
次に、図１６及び図１７を参照すると、流体リザーバ３１６、吸液芯３１８、及び噴霧アセンブリ３２０は、全て内部流体排出口３２４から排出される流体粒子のミストＦを生成するために、上述されたものと同じ方式で機能する。ファンアセンブリ３１２は、ハニカム配列３２６を通過し（空気流動３２８の旋回を低減するため）、上部カバー３０６と内部ノズルアセンブリ３２２との間の内部容積３１４を通過する空気流動３２８を作り出す。流体のミストＦ及び空気流動３２８は、噴霧装置３００の上方に流体のミストＦを吹き出す層流ジェットの形態で主空気及び流体排出口３０８を出る。試験は、４ＣＦＭ以上の空気流量で空気流動３２８内のかなりの量の流体粒子が噴霧装置３００上の４フィート以上に到達し、環境に分散することで、噴霧装置３００の上／周辺への降下を大幅に防止及び／又は減少させることができる。
【００３４】
次に、図１８を参照すると、噴霧装置４００の他の実施形態が示されている。噴霧装置４００は、以前に開示された実施形態と同様に作動し、ベース４０２、上部カバー４０４、ファンアセンブリ４０６、流体リザーバ４０８、及び噴霧アセンブリ４１０を含む。上述したように、流体ミストＦが生成される。噴霧装置４００の空気流動４１２は、ベース４０２と上部カバー４０４との間の間隙４１４を介して引き込まれる空気で始まる。空気流動４１２は、ファンアセンブリ４０６を介して渦流防止板４１８の下の予混合容積４１６に入る。空気流動４１２は、渦流防止板４１８によって画定された開口４２０を通過して、主空気及び流体排出口４２２を介して出る前に、噴霧アセンブリ４１０を通過して上がる。一般に、噴霧装置４００は、わずかに異なる形状因子（ｆｏｒｍ−ｆａｃｔｏｒ）及び空気流路を有する噴霧装置３００と同一に作動する。
【００３５】
次に、図１９及び図２０を参照すると、噴霧装置５００の他の実施形態が示されている。ベースユニット５０２は、ベースユニット５０２内に配置されたファンアセンブリ５０４を含み、複数の排出口５０６が上面５０８に画定される。流体リザーバ５１０は、吸液芯５１２を含み、ベースユニット５０２の上面５０８によって支持されるか、着脱可能に取り付けられる。上部ユニット５１４は、流体リザーバ５１０の上部に配置される。上部ユニット５１４は、噴霧アセンブリ５１６の上部ユニット５１４に形成された流体排出口５１８から分散される流体ミストＦを生成するために、上述したように作動する噴霧アセンブリ５１６を含む。ファンアセンブリ５０４によって作り出された空気流動５２０は、上面５０８の周囲の周りに複数の排出口５０６を出て、上部ユニット５１４を通過して上方に流れる。一般に、噴霧装置５００は、流体ミストＦを噴霧装置から上方かつ遠くに運ぶ空気流動５２０と共に作動し、噴霧装置５００の上又は周辺に流体ミストからの任意の物質の落下を防止及び／又は減少させる。
【００３６】
次に、図２１を参照すると、噴霧装置５００と類似の噴霧装置６００が開示されている。ベース６０２は、ファンアセンブリ６０４を含む。流体リザーバ６０６は、ベース６０２の上面６０８に配置される。上部ユニット６１０は、流体リザーバ６０６の上端部に配置される。上部ユニット６１０は、流体リザーバ６０６と共に作動して、上述したように流体粒子のミストＦを生成する噴霧アセンブリ６１２を含む。空気流動６１４は、チューブ６１６によって、ベース６０２のファンアセンブリ６０４と上部ユニット６１０との間に提供される。噴霧装置５００，６００は、流体の全てが消費されたときに、上部ユニット５１４，６１０を取り外してベース５０２，６０２の上に完全な流体リザーバ５１０，６０６を配置することによって、流体リザーバ５１０，６０６を容易に交換できるという利点を含む。上部ユニット５１４，６１０は、完全な流体リザーバ５１０，６０６に再び取り付けられてもよく、噴霧装置５００，６００は、揮発性物質の分散を続ける準備ができている。
【００３７】
次に、図２２を参照すると、噴霧装置７００は、図１６及び図１７の装置３００と同様であり、流体リザーバ７０６の下のハウジング７０２の下部に配置されたファン７０４を有するハウジング７０２を含む。噴霧アセンブリ７０８は、流体リザーバ７０６の上端部に配置されて、流体粒子のミストＦを生成する。ハウジングは、ハウジング７０２の中央円筒状の部分７１２に形成された複数のベント７１０（ｖｅｎｔ）を含む。空気は、ファン７０４の下に配置された入口７１４を介してハウジング７０２内に引き込まれる。空気流動７１６は、ファン７０４から流体リザーバ７０６を越えて上に流れ、ミストＦと共にメイン排出口７１８から出る。ベント７１０を通過する空気流動７１６は、ベント７１０を介してより多くの空気を引き込む。
【００３８】
流体リザーバ１０２，２０２，３１６，４０８，５１０，６０６，７０６に配置された活性物質は、水性芳香剤組成物を含む揮発性物質であってもよい。他の実施形態では、揮発性物質は、例えば洗浄剤、殺虫剤、防虫剤、昆虫誘引剤、殺菌剤、
カビ又はカビ防止剤、香料、殺菌剤、空気清浄機、アロマセラピーの香り、防臭剤、防腐剤、肯定的な芳香の揮発性物質、エアフレッシュナー、脱臭剤など、及びそれらの組み合わせを含んでもよい。
【００３９】
例示的な実施形態では、水性芳香剤組成物は、水、第１及び第２有機溶媒、及び１つ以上の香料製剤を含んでもよい。例示的な実施形態では、水性芳香剤組成物は、少なくとも約７０重量％の水と、約５から約１７重量％の第１有機溶媒と、約０から約２２重量％の第２有機溶媒と、約５重量％又はそれ以下の１つ以上の香料（ｆｒａｇｒａｎｃｅ）を含んでもよい。例示的な実施形態では、水性芳香剤組成物は、均一な液相を形成することができる。
【００４０】
香料は、商業的業者から購入され得る。香料は、１つ以上の成分を含む。香料の成分は、芳香油、界面活性剤、溶媒、水、染料、葉緑素、安定剤、乳化剤、ＵＶ抑制剤、酸化防止剤、その他添加剤及び／又は他の適切な構成要素を含んでもよい。本明細書にて香料製剤と呼ばれる香料は、多種多様な特定の香りを有し得る。
【００４１】
第１有機溶媒は、比較的揮発性で水溶性の低分子量有機化合物又は複数のこのような化合物を含む水性芳香剤組成物である。水の飽和溶液に０．５重量％以上の化合物が含まれている場合、その化合物は「水溶性」と見なされる。水性芳香剤組成物の好ましい範囲を算出するとき、水性芳香剤組成物の中に存在する比較的揮発性で水溶性の低分子量有機化合物又は化合物の全てが第１有機溶媒の一部と見なされる。例示的な実施形態では、第１有機溶媒は、約１００℃未満の沸点を有し得る。さらに、第１有機溶媒の比較的揮発性で水溶性の低分子量有機化合物のそれぞれは、約１００℃未満の沸点を有するため、比較的揮発性であると定義される。例示的な、実施形態では、第１有機溶媒は、アルコール、エーテル、ケトン、エステルなどから選択された１つ以上の比較的揮発性で水溶性の低分子量有機化合物、又はこれらの組み合わせを含み得る。
【００４２】
例示的な実施形態では、第１有機溶媒は、カリフォルニア州の消費者製品規定によって定義されるように、揮発性有機化合物（ＶＯＣ）であってもそうでなくてもよい。この記事の執筆時点では、消費者製品に関する規定の非公式バージョンは、＜http://www.arb.ca.gov/consprod/regs/2015/article_1_final_1-22-15.pdf＞の定義（１３８）にある。公式バージョンは、＜http://www.oal.ca.gov/CCR.htm＞で探すことができる。消費者製品の規定は、ＶＯＣを下記のように定義している。
【００４３】
「揮発性有機化合物（ＶＯＣ）」は、一酸化炭素、二酸化炭素、炭酸、金属炭酸又は炭酸塩及び炭酸アンモニウムを除く、少なくとも１つの炭素原子を含む任意の化合物を意味し、次のものを除く。
（Ａ）メタン
塩化メチレン（ジクロロメタン）、
１，１，１−トリクロロエタン（メチルクロロホルム）、
トリクロロフルオロメタン（ＣＦＣ−１１）、
ジクロロジフルオロメタン（ＣＦＣ−１２）、
１，１，２−トリクロロ−１，２，２−トリフルオロメタン（ＣＦＣ−１１３）、
１，２−ジクロロ−１，１，２，２−テトラフルオロエタン（ＣＦＣ−１１４）、
クロロペンタフルオロエタン（ＣＦＣ−１１５）、
クロロジフルオロメタン（ＨＣＦＣ−２２）、
１，１，１−トリフルオロ−２，２−ジクロロエタン（ＨＣＦＣ−１２３）、
１，１−ジクロロ−１−フルオロエタン（ＨＣＦＣ−１４１ｂ）、
１−クロロ−１，１−ジフルオロエタン（ＨＣＦＣ−１４２ｂ）、
２−クロロ−１，１，１，２−テトラフルオロエタン（ＨＣＦＣ−１２４）、
トリフルオロメタン（ＨＦＣ−２３）、
１，１，２，２−テトラフルオロエタン（ＨＦＣ−１３４）、
１，１，１，２−テトラフルオロエタン（ＨＦＣ−１３４ａ）、
ペンタフルオロエタン（ＨＦＣ−１２５）、
１，１，１−トリフルオロエタン（ＨＦＣ−１４３ａ）、
１，１−ジフルオロエタン（ＨＦＣ−１５２ａ）、
エトキシノナフルオロブタン（ＨＦＥ７２００）、
トランス−１，３，３，３−テトラフルオロプロペン（ＨＦＯ−１２３４ｚｅ）、
環状、分岐、又は直鎖の完全メチル化シロキサン、
以下のクラスのパーフルオロカーボン：
１．環状、分岐、又は直鎖の完全にフッ素化されたアルカン；
２．環状、分岐、又は直鎖の不飽和結合をもたない完全にフッ素化されたエーテル；
３．環状、分岐、又は直鎖の不飽和結合をもたない完全にフッ素化された三級アミン；
４．不飽和結合をもたず、硫黄が炭素とフッ素に結合している硫黄含有パーフルオロカーボン、及び
（Ｂ）米国ＥＰＡが免除された以下の低反応性有機化合物：
アセトン、
エタン、
酢酸メチル、
パラクロロベンゾトリフルオリド（１−クロロ−４−トリフルオロメチルベンゼン）
ペルクロロエチレン（テトラクロロエチレン）
他の例示的な実施形態では、第１有機溶媒は、１つ以上のＶＯＣ、例えばエタノール、又はイソプロパノールを含んでもよい。
【００４４】
例示的な実施形態では、水性芳香剤組成物は、約５から約１７重量％の第１有機溶媒を含んでもよい。他の例示的な実施形態では、水性芳香剤組成物は、約１０から約１７重量％の第１有機溶媒を含んでもよい。他の例示的な実施形態では、水性芳香剤組成物の排出速度は約１グラム／時間であり、第１有機溶媒はエタノールであり、水性芳香剤組成物は約１０から約１１重量％エタノールを含んでもよい。他の例示的な実施形態では、水性芳香剤組成物の排出速度は約１グラム／時間であり、第１有機溶媒はイソプロパノールであり、水性芳香剤組成物は約５重量％イソプロパノールを含んでもよい。他の例示的な実施形態では、水性芳香剤組成物の排出速度は約１グラム／時間であり、第１有機溶媒はアセトンであり、水性芳香剤組成物は約５重量％エタノールを含んでもよい。任意の実施形態において、水性芳香剤組成物の排出速度は、代替的に約２グラム／時間以下であってもよい。
【００４５】
第２有機溶媒は、中程度に揮発性を有し、水溶性有機化合物又は複数のこのような化合物を含む水性芳香剤組成物の構成要素である。水性芳香剤組成物の好ましい範囲を算出するとき、水性芳香剤組成物の中に存在する中程度に揮発性を有する水溶性有機化合物又は化合物の全ては、第２有機溶媒の一部と見なされる。例示的な実施形態では、第２有機溶媒は、約１００℃以上及び約３００℃以下の沸点を有し得る。また、第２有機溶媒の中程度に揮発性を有する水溶性有機化合物のそれぞれは、化合物が約１００℃以上及び約３００℃以下の沸点を有するため、中程度の揮発性を有するものと定義される。
【００４６】
例示的な実施形態では、第２有機溶媒は、多価アルコール（グリコール含む）、グリコールエーテル、グリコールエーテルエステル、スルホキシド、エーテル、ポリエーテル、環状エーテル、ラクトン、炭酸塩、カルボン酸など又はこれらの組み合せから選択される１つ以上の中程度の揮発性水溶性有機化合物であり得る。例示的な実施形態では、第２有機溶媒は、ＶＯＣではなくてもよい。例示的な実施形態では、第２有機溶媒は、１つ以上のジプロピレングリコール；プロピレングリコール；１，２−ヘキサンジオール；ジプロピレングリコールメチルエーテルアセテート；プロピレングリコールモノプロピルエーテル；ジエチレングリコールモノブチルエーテル；又は、エチレングリコールモノヘキシルエーテルのうちの１つ以上を含んでもよい。他の例示的な実施形態では、第２溶媒は、ＶＯＣ、非ＶＯＣ、又はこれらの組み合せであってもよい。中程度に揮発性を有する水溶性有機化合物であるＶＯＣの非制限的な例として、ジプロピレングリコールメチルエーテル；プロピレングリコールメチルエーテル；ペンチレングリコール；カプリリルグリコール；プロピレングリコールメチルエーテルアセテート；エチレングリコールモノｎ−プロピルエーテル；プロピレングリコールモノエチルエーテル；ジメトキシメタン；アセトニトリル；ジメチルスルホキシド；及び、これらの組み合わせを含み得る。ＶＯＣのリストは定期的に変更されるため、ＶＯＣであるか否かを判断するための溶媒の現在の状態を確認する必要があり、カリフォルニア環境保護庁の空気資源委員会によって設定されている現在のＶＯＣ状態の正確性については保障されない。例示的な実施形態では、水性芳香剤組成物は約０から約２２重量％の第２有機溶媒を含む。追加の例示的な実施形態では、水性芳香剤組成物は約０から約１７重量％の第２有機溶媒を含む。
【００４７】
例示的な実施形態では、水性芳香剤組成物は、約３００℃を超える沸点を有する物質を含まない。溶媒は、約３００℃を超える沸点を有する物質を含めることなく、５重量％以下の１つ以上の香料を溶解するための溶媒を選択し得る。このような実施形態では、水性芳香剤組成物は、１つ以上の香料製剤を含む場合、全ての香料の総重量百分率は５重量％以下である。他の例示的な実施形態では、溶媒は、約３００℃を超える沸点を有する任意の物質を含めることなく、３重量％以下の１つ以上の香料製剤を溶解させるように選択されてもよい。このような実施形態では、水性芳香剤組成物が１つ以上の香料を含む場合、全ての香料の総重量百分率は約３重量％以下である。
【００４８】
例示的な実施形態では、水性芳香剤組成物は、第１有機溶媒として１１重量％のエタノールを含む。他の例示的な実施形態では、水性香料は、エタノール、イソプロパノール、又はアセトンのうちの１つ以上を含んでもよい。
【００４９】
例示的な実施形態では、第２有機溶媒は、ジプロピレングリコール（ＤＰＧ）を含む。他の例示的な実施形態では、第２有機溶媒は、プロピレングリコール（ＰＧ）を含む。他の例示的な実施形態では、第２有機溶媒は、１，２−ヘキサンジオールを含む。他の例示的な実施形態では、第２有機溶媒は、ジプロピレングリコールメチルエーテルアセテート（ＤＰＭＡ）を含む。追加的な例示的な実施形態では、第２有機溶媒は、プロピレングリコールメチルエーテル（ＰＭＡ）を含む。例示的な実施形態では、第２の有機溶媒は、プロピレングリコールメチルエーテル（ＰＭ）を含む。例示的な実施形態では、第２有機溶媒は、ジメトキシメタンを含む。例示的な実施形態では、第２有機溶媒は、ジプロピレングリコールメチルエーテル（ＤＰＭ）を含む。他の非制限的な例示的な実施形態では、第２有機溶媒は、約１２重量％アセトニトリル及び約１０重量％プロピレングリコールｎ−プロピルエーテルを含む。
【００５０】
さらなる例示的な実施形態によれば、長期間持続する香りを提供する方法は、液滴のボーラスを空気中に伝達するステップを含み、振動メッシュ噴霧器又は噴霧アセンブリ１５４は、液体水性芳香剤組成物を液滴に変換する。液体の水性芳香剤組成物は、ａ）約７０重量％以上の水；ｂ）約５から１７重量％の第１有機溶媒、ここで、第１有機溶媒は、約１００℃未満の沸点を有する１つ以上の比較的揮発性で水溶性の低分子量有機化合物を含み、比較的揮発性で水溶性の低分子量有機化合物は、アルコール、エーテル、ケトン、エステル、及びこれらの組み合わせからなる群から選択される；及び、ｃ）約０から２２重量％の第２有機溶媒を含み得る。第２有機溶媒は、約１００℃以上及び約３００℃以下の沸点を有する１つ以上の中程度に揮発性を有する水溶性有機化合物を含んでもよい。中程度の揮発性を有する水溶性有機化合物は、多価アルコール（グリコール含む）、グリコールエーテル、グリコールエーテルエステル、エーテル、ポリエーテル、環状エーテル、ラクトン、炭酸塩、カルボン酸、スルホキシド、及びこれらの組み合わせからなる群から選択されてもよい。
【００５１】
本明細書に開示されたリザーバは、吸液芯を含むものとして記載されているが、本出願の方法及び装置は、吸液芯を含まないリザーバと共に使用されてもよい。言い換えれば、揮発性物質を噴霧アセンブリに移動させるための任意の適切な特徴又は構成要素を含む任意の適切なリザーバを使用してもよい。
【００５２】
本発明の噴霧器装置で使用するための揮発性物質は、２０１５年７月２０日付で出願された「水性芳香剤組成物、香料伝達装置、及び持続する香りを提供する方法」と題する米国特許出願第６２／１９４，６５３号により詳細に記載されている。
【００５３】
本明細書で説明される任意の実施形態は、他の実施形態に関連して開示される任意の構造及び方法を含むように修正されてもよい。
【００５４】
詳細な説明で引用された全ての文書は、関連する部分で本明細書に参考として含まれる。いかなる文献の引用も、それが本発明に関する先行技術を承認するものと解釈されるべきではない。
【産業上利用の可能性】
【００５５】
本開示は、水性芳香剤組成物、水性芳香剤組成物を放出するための装置及び長期間持続する香りを放出するための方法を提供する。水性芳香剤組成物は、一般に増加した量の水を含み、これは必要に応じて連続的な放出を可能にする。水性芳香剤組成物は、約３００℃を超える沸点を有する物質を含まなくてもよい。
【００５６】
本開示に対する複数の修正は、上述の説明の観点から当業者には明らかであろう。従って、この説明は、単なる例示として解釈されるべきであり、当業者が本開示の実施形態を作成及び使用できるようにし、最良の形態を教示することを可能にする目的で提示される。添付の請求の範囲内にある全ての修正に対する排他的権利が留保される。
【図１】
2021506360.tif 000003
【図２】
2021506360.tif 000004
【図３】
2021506360.tif 000005
【図４】
2021506360.tif 000006
【図５】
2021506360.tif 000007
【図６】
2021506360.tif 000008
【図７】
2021506360.tif 000009
【図８】
2021506360.tif 000010
【図９】
2021506360.tif 000011
【図１０】
2021506360.tif 000012
【図１１】
2021506360.tif 000013
【図１２】
2021506360.tif 000014
【図１３】
2021506360.tif 000015
【図１４】
2021506360.tif 000016
【図１５】
2021506360.tif 000017
【図１６】
2021506360.tif 000018
【図１７】
2021506360.tif 000019
【図１８】
2021506360.tif 000020
【図１９】
2021506360.tif 000021
【図２０】
2021506360.tif 000022
【図２１】
2021506360.tif 000023
【図２２】
2021506360.tif 000024
【国際調査報告】
2021506360.tif 000025
2021506360.tif 000026
2021506360.tif 000027
2021506360.tif 000028
2021506360.tif 000029
2021506360.tif 000030
2021506360.tif 000031